(57)【要約】【課題】建物に対する断熱パネルの敷設を容易に行ない得るようにすること。【解決手段】断熱パネル支持具１０は、横架材５４と断熱パネル５０との間に設けられ、横架材５４に掛けられた状態で、断熱パネル５０を支持する。断熱パネル５０は、横架材５４と断熱パネル５０との間に位置する第１部分１１と、横架材５４の上面に掛け止めされる第２部分１２と、断熱パネル５０に取り付けられる第３部分１３とを備え、前記第１部分１１と第３部分１３との間のコーナ部には、傾斜部１４が形成されている。この傾斜部１４の作用により、断熱パネル５０を横架材５４に支持する際に、断熱パネル支持具１０と横架材５４との干渉が回避され、断熱パネル５０の敷設作業を能率よく行なうことができる。【選択図】図５
2018035541.tif 000002
【特許請求の範囲】
【請求項１】
横架材と断熱パネルとの間に設けられ、前記横架材に掛け止めされた状態で、前記断熱パネルを支持するための断熱パネル支持具において、
前記横架材と前記断熱パネルとの間に位置する第１部分と、前記横架材の上面に掛け止めされる第２部分と、前記断熱パネルの側部に取り付けられる第３部分とを備え、前記第１部分と第３部分との間のコーナ部には、面取り部を形成した断熱パネル支持具。
【請求項２】
前記面取り部を傾斜部によって構成した請求項１に記載の断熱パネル支持具。
【請求項３】
前記第３部分の上面に突起を形成し、その突起の第３部分の幅方向の両端は上部側ほど後退するように傾斜されている請求項１または２に記載の断熱パネル支持具。
【請求項４】
前記突起の幅を前記第３部分の幅より狭くした請求項３に記載の断熱パネル支持具。
【請求項５】
前記突起を先鋭状に形成した請求項３または４に記載の断熱パネル支持具。
【請求項６】
前記第１部分の厚さを前記第２部分及び第３部分の厚さより厚くした請求項１〜５のうちのいずれか一項に記載の断熱パネル支持具。
【請求項７】
前記第１部分と第２部分との間の内コーナに応力緩和部を形成した請求項６に記載の断熱パネル支持具。
【請求項８】
前記第３部分の先端縁に凹部を形成した請求項１〜７のうちのいずれか一項に記載の断熱パネル支持具。
【請求項９】
請求項１〜８のうちのいずれか一項に記載の断熱パネル支持具と、断熱パネルとよりなる断熱パネルユニットにおいて、
前記断熱パネル支持具の第３部分を前記断熱パネル支持具の側部に取り付けた断熱パネルユニット。
【請求項１０】
前記断熱パネルの側部に溝を形成し、前記断熱パネル支持具の前記第３部分を前記溝に挿入して、断熱パネル支持具を断熱パネルに取り付けた請求項９に記載の断熱パネルユニット。
【発明の詳細な説明】
【技術分野】
【０００１】
本発明は、例えば、建物の床に発泡スチロールなどの断熱パネルを敷設するために用いられる断熱パネル支持具および前記断熱パネルに前記断熱パネル支持具が取り付けられて構成された断熱パネルユニットに関するものである。
【背景技術】
【０００２】
例えば、木造建築において、床などに断熱パネルを敷設する場合は、断熱パネルに断熱パネル支持具を取り付けるとともに、断熱パネルを建物の軸組内に押し込むことにより、断熱パネル支持具を建物の軸組などの横架材に掛け止めして、その断熱パネルを軸組に支持するようにしていた。
【０００３】
このような断熱パネル支持具が特許文献１〜４に開示されている。
特許文献１の断熱パネル支持具は、横架材を跨ぐようにして横架材の上面側に外嵌されるほぼ逆Ｕ字状の本体を備え、その本体の両端に断熱パネルの下面を受けるための受け部が折り曲げ形成されている。
【０００４】
特許文献２の断熱パネル支持具は、垂直板部の上端に、横架材に掛け止めされる爪部が形成されるとともに、垂直部の下端には、断熱パネルの下面を受けるための水平板部が形成されている。
【０００５】
特許文献３の断熱パネル支持具は、垂直片の上端に、横架材の上面に掛け止めされる上部片が折り曲げ形成されるとともに、下端には、断熱パネルの厚み方向中間に差し込まれる差し込み片が折り曲げ形成されている。
【０００６】
特許文献４の断熱パネル支持具は、断熱パネルの全長にわたる長さを有している。この特許文献４の断熱パネル支持具は、摺動部の上端に横架材の上面に掛けられる位置決め部が形成されるとともに、摺動部の下端には、断熱パネルの側端面の溝に差し込まれる差し込み部が形成されている。そして、前記摺動部は、下側ほど横架材から後退するように、全体が傾斜されている。
【先行技術文献】
【特許文献】
【０００７】
【特許文献１】特開２００６−２５７８５０号公報
【特許文献２】特開２００９−３０４０６号公報
【特許文献３】特開２０１４−５５８８号公報
【特許文献４】特開２００４−１７６３４２号公報
【発明の概要】
【発明が解決しようとする課題】
【０００８】
特許文献１〜３に開示された構成の断熱パネル支持具においては、横架材と断熱パネルとの間に介在される垂直部分と、断熱パネルを支持する水平部分との間のコーナ部が直角に形成されている。このため、断熱パネルを横架材に支持する際に、言い換えれば軸組内に断熱パネルを押し込む際に、断熱パネル支持具の前記コーナ部と横架材とが干渉するおそれが多分にあり、このような場合、断熱パネルの敷設作業を能率よく行うことが困難である。
【０００９】
また、断熱パネルを軸組の内側に押し込めた場合に、断熱パネル支持具の垂直部分と水平部分との間のコーナ部が軸組の横架材に当たる。このため、水平部分の先端部が断熱パネルとともに下方移動しながら、その先端部が断熱パネルに対する回転起点となって、断熱パネル支持具全体が回転して、断熱パネルに裂傷などの損傷が起きてしまうことがある。
【００１０】
特許文献４に開示された構成の断熱パネル支持具においては、横架材と断熱パネルとの間に介在される摺動部が傾斜されているため、断熱パネルの側面を同摺動部の傾斜に沿って傾斜するように加工する必要があって、断熱パネルの加工に手間がかかる。さらには、断熱パネルが軸組内に押し込まれた状態においては、前記摺動部が横架材の側面に沿うように断熱パネル側に変形するため、断熱パネルの側面が変形された摺動部によって圧縮される。従って、この圧縮を許容するために、断熱パネルの側面の近傍位置に溝を形成する必要がある。このため、前記の溝の深さ分だけ、溝部分の断熱パネルの厚さが減少することになり、この部分の断熱パネルの強度が低下する。
【００１１】
本発明の目的は、断熱パネルの敷設を容易に行うことができる断熱パネル支持具及び断熱パネルユニットを提供することにある。
【課題を解決するための手段】
【００１２】
上記の目的を達成するために、本発明の断熱パネル支持具は、横架材と断熱パネルとの間に設けられ、前記横架材に掛け止めされた状態で、前記断熱パネルを支持するための断熱パネル支持具において、前記横架材と前記断熱パネルとの間に位置する第１部分と、前記横架材の上面に掛け止めされる第２部分と、前記断熱パネルの側部に取り付けられる第３部分とを備え、前記第１部分と第３部分との間のコーナ部には、面取り部を形成したことを特徴とする。
【００１３】
また、本発明の断熱パネルユニットは、前記断熱パネル支持具と、断熱パネルとよりなる断熱パネルユニットにおいて、前記断熱パネル支持具の第３部分を前記断熱パネル支持具の側部に取り付けたことを特徴とする。
【００１４】
以上の構成においては、横架材と前記断熱パネルとの間に位置する第１部分と、断熱パネルの側部に取り付けられる第３部分との間のコーナ部に、面取り部を形成したことにより、断熱パネルを支持した断熱パネル支持具を面取り部の案内作用を利用して軸組の内側にスムーズに押し込めることができる。従って、断熱パネルの敷設作業を効率よく行なうことができる。また、第１部分と第３部分との間のコーナ部に面取り部を形成したことにより、そのコーナ部に作用する応力を緩和することができ、断熱パネルから第１部分と第３部分との間のコーナ部に加えられる物理的負担を軽減できる。さらに、第１部分と第３部分との間のコーナ部に面取り部が形成されているため、断熱パネルを軸組の内側に押し込めた場合に、コーナ部が軸組の横架材に当たって、断熱パネル支持具全体が回転してしまうことを防止することができる。従って、断熱パネル支持具の回転による断熱パネルの損傷を防止できる。なお、本発明においては、前記第３部分を断熱パネルに取り付けるための構成は限定されるものではなく、前記第３部分は断熱パネルの下面に接着剤、ビスなどで固定されてもよく、後述するように断熱パネルの側部の溝に挿入されることで固定されてもよい。溝に挿入されて固定される場合は、接着剤やビスなどを使用しなくてもよいが、使用してもよい。
【発明の効果】
【００１５】
本発明によれば、断熱パネルが損傷することなく、断熱パネルの敷設を容易に行うことができるという効果を得ることができる。
【図面の簡単な説明】
【００１６】
【図１】（ａ）〜（ｆ）は、断熱パネル支持具を示すものであって、（ａ）は斜視図、（ｂ）は正面図、（ｃ）は背面図、（ｄ）は平面図、（ｅ）は底面図、（ｆ）は右側面図。
【図２】断熱パネル支持具の右側面図。
【図３】（ａ）は成形型を示す縦断面図、（ｂ）は同じく成形型を示す横断面図。
【図４】成形型の加工状態を示す断面図。
【図５】断熱パネル支持具の使用状態を示す断面図。
【図６】断熱パネル，軸組及び断熱パネル支持具を示す分解斜視図。
【図７】断熱パネル支持具の変更例を示す側面図。
【発明を実施するための形態】
【００１７】
（実施形態）
以下、本発明を具体化した実施形態を図面に基づいて説明する。
図６に示すように、本実施形態の断熱パネルユニット６０は、長方形状の断熱パネル５０と、その断熱パネル５０の長辺における側部の両端部に取り付けられて固定された断熱パネル支持具１０とにより構成されている。そこで、まず断熱パネル支持具１０の構成を以下に説明する。
【００１８】
図１（ａ）〜（ｆ）に示すように、ポリプロピレン，塩化ビニールなどの合成樹脂の板材からなる断熱パネル支持具１０は、全体として、側面クランク状をなしている。すなわち、断熱パネル支持具１０は、使用位置で垂直姿勢になる第１部分１１と、その第１部分１１の上端から直角に折り曲げられた第２部分１２と、第１部分１１の下端から第２部分１２の反対方向に直角に折り曲げられた第３部分１３とが一体形成されている。第１部分１１と第３部分１３との間のコーナ部には、面取り部としての傾斜部１４が形成されている。
【００１９】
図２に示すように、この傾斜部１４は、第１部分１１に対して３０〜６０度の角度θに形成されている。また、傾斜部１４の上下方向の寸法Ｌ１の割合は、第１部分１１の高さの７分の１〜２分の１の範囲内である。第１部分１１は、第２部分１２及び第３部分１３と同等、あるいは第２部分１２及び第３部分１３より厚く形成されている。第１部分１１の厚さＴ１は、０．５〜２ｍｍ（ミリメートル）の範囲内、第２，第３部分１２，１３の厚さＴ２，Ｔ３は、０．５〜１．５ｍｍの範囲内である。
【００２０】
図１及び図２に示すように、第３部分１３の上面には、その幅方向に延びる突起としての突条１５が形成されている。この突条１５は頂部が先鋭状に形成されるとともに、その両端１６には断面円弧状をなすとともに、上側に向かって後退する斜面が形成されている。突条１５の斜面を有する両端１６は、第３部分１３の両端１７から離間して、その両端１７の内方に位置する。
【００２１】
第１部分１１と第２部分１２との間の内コーナ部には応力緩和部を構成する傾斜部１８が形成されている。この傾斜部１８の上下方向の寸法Ｌ２の割合は、前記傾斜部１４の上下方向の寸法Ｌ１の３分の１〜７分の１程度である。
【００２２】
第３部分１３の先端には凹部１９が形成され、この凹部１９の奥部の中央に、断熱パネル支持具１０を成形するための後述の図３（ａ）に示す成形型２０のゲート２７が配置される。
【００２３】
以下に、成形型２０の構成を説明する。
図３（ａ），（ｂ）に示すように、成形型２０は、下型２１と上型２２とよりなり、上下両型２１，２２間にキャビティ２３が形成されている。上下両型２１，２２間のパーティングライン２４はキャビティ２３の幅端を含む外周端に位置している。
【００２４】
図４に示すように、前記突条１５を成形するための成形凹部２５は、上型２２に形成されている。この成形凹部２５は、先鋭状の回転工具２６の先端部を、パーティングライン２４から幅方向の内方に離間した位置において、そのパーティングライン２４の内方の位置を幅方向に切削移動させることによって、上型２２に形成される。
【００２５】
ところで、前記断熱パネル５０は、発泡スチロールなどの断熱材よりなり、図５及び図６に示すように、断熱パネル５０の長辺の側面である側部の両端部には溝５２が形成されている。この溝５２に断熱パネル支持具１０がその第３部分１３において挿入されて取り付けられている。このようにして、断熱パネルユニット６０が構成され、同ユニット６０はこの状態で運搬されたり、保管されたりする。
【００２６】
すなわち、図５及び図６に示すように、断熱パネル５０の長さ方向の両端部の側面５１に形成された溝５２に断熱パネル支持具１０の第３部分１３が挿入されて、同支持具１０の第１部分１１が前記側面５１に沿わせられる。なお、溝５２に第３部分１３を挿入すると、断熱パネル支持具１０の傾斜部１４によって溝５２の開口部の上側縁が潰される。
【００２７】
次に、本実施形態の作用を説明する。
断熱パネル５０の敷設に際しては、断熱パネルユニット６０を、軸組５３の上側開口から押し込める。この押し込みにより、軸組５３の横架材５４の上部コーナ部に断熱パネル支持具１０の傾斜部１４が係合される。従って、断熱パネル支持具１０は、この傾斜部１４の傾斜により、下方にスムーズに案内され、断熱パネル支持具１０の第２部分１２が軸組５３の横架材５４上に掛け止めされる。もし、傾斜部１４が形成されていなければ、前記第１部分１１と第３部分１３との間のコーナ部が軸組５３の横架材５４に当たってしまい、断熱パネル５０の押し込みにともない、第３部分１３の先端部が回転起点となって、断熱パネル支持具１０が断熱パネル５０に対して回転される。そして、この回転により、断熱パネル５０が破損される。傾斜部１４はこのような破損を防ぐ作用も有している。そして、断熱パネル支持具１０の第２部分１２が横架材５４の上面に掛け止めされた状態で、断熱パネル５０が軸組５３内に組み込まれる。なお、断熱パネル支持具１０を横架材５４に掛け止めした状態において、横架材５４の上コーナと断熱パネル支持具１０の上側の傾斜部１８とが干渉するが、この傾斜部１８は上下方向の幅が狭く、また、第１部分１１及び第２部分１２が変形することから、この干渉は実質的にはほとんど存在しない。
【００２８】
その後、断熱パネル５０及び軸組５３の上面にフローリングなどの床パネル５５が敷設される。
本実施形態においては、以下の効果がある。
【００２９】
（１）横架材５４と断熱パネル５０との間に位置する第１部分１１と、断熱パネル５０の溝５２に対する挿入状態の第３部分１３との間のコーナ部に、傾斜部１４を形成したことにより、断熱パネル５０に取り付けられた断熱パネル支持具１０を軸組５３の内側にスムーズに押し込めることができる。従って、断熱パネル５０を損傷したりすることなく、断熱パネルユニット６０を軸組５３内にスムーズに組み込むことができて、断熱パネル５０の敷設作業を効率よく行なうことができる。また、第１部分１１と第３部分１３との間のコーナ部に傾斜部１４を形成したことにより、そのコーナ部に作用する応力を小さくすることができ、断熱パネル５０から第１部分１１と第３部分１３との間のコーナ部に作用される物理的な負担を軽減できる。
【００３０】
（２）第３部分１３の上面に突条１５を形成したことにより、第３部分１３を断熱パネル５０の溝５２に挿入した状態を安定して維持できる。従って、軸組５３に対する断熱パネル５０の組み込み時において、断熱パネル支持具１０が断熱パネル５０から脱落することを抑えることができる。
【００３１】
（３）前記突条１５の両端１６には、上部側ほど後退する斜面が形成されているため、断熱パネル支持具１０を断熱パネル５０に装着した状態で、断熱パネル支持具１０の左右位置の調節などのために、断熱パネル支持具１０を左右移動させる際、その移動が容易である。つまり、断熱パネル支持具１０の左右移動にともない、突条１５の両端１６の傾斜部は、溝５２の上側面ほとんど抵抗なく移動する。これに対し、突条１５の端面が直立していると、その端面が断熱パネル支持具１０を左右移動させる際の抵抗になって、その移動に大きな力を要する。
【００３２】
（４）さらに、突条１５の両端１６が円弧状に形成されているため、前記と同様に、両端が平面状に形成されている場合と比較して、断熱パネル支持具１０を左右移動させる際、その移動が容易である。
【００３３】
（５）突条１５の幅が断熱パネル支持具１０の左右幅より狭く、突条１５の両端１６が断熱パネル支持具１０の両端１７の内方に位置している。このため、成形型２０のパーティングライン２４に突条１５の形状を形成する必要はなく、パーティングライン２４の形状を単純化して、成形型２０の加工を容易に行なうことができる。これに対し、突条１５の両端１６と断熱パネル支持具１０の両端１７とが同一位置において一致している場合は、パーティングライン２４に突条１５の形状を形成する必要があって、パーティングライン２４の形状が複雑になり、成形型２０の加工が面倒になる。
【００３４】
（６）突条１５を先鋭状に形成するとともに、その突条１５の両端を円弧状にしたことにより、突条１５を成形するためのキャビティ２３の成形凹部２５は、先鋭状の回転工具２６によって簡単に加工できる。
【００３５】
（７）断熱パネル支持具１０の第１部分１１の厚さを前記第２部分１２及び第３部分１３の厚さより厚くしたことにより、断熱パネル５０の荷重を第１部分１１において適切に受けることができる。また、第２部分１２の厚さを薄くしたことにより、第２部分１２の上面に敷設される床パネル５５と横架材５４との間の隙間を狭くすることができる。
【００３６】
（８）断熱パネル支持具１０の第１部分１１と第２部分１２との間の内コーナに応力緩和部としての傾斜部１８を形成したことにより、断熱パネル５０から第１部分１１と第２部分１２との間のコーナ部に作用される物理的負担を軽減できる。
【００３７】
（９）第３部分１３の先端縁に凹部１９を形成し、その凹部１９を成形する部分に成形型２０のゲート２７を配置すれば、ゲート２７に形成される残留樹脂部分２８（図１（ａ）など参照）を目立たなくでき、断熱パネル支持具１０の外観を向上できる。
【００３８】
（１０）特許文献４の場合とは異なり、断熱パネル５０に対して同パネル５０の変形を許容するような溝は不要である。従って、このような溝の形成のために断熱パネル５０の強度が低下するようなことはなく、断熱パネル５０を高強度なものとすることができる。
【００３９】
（変更例）
本発明は、前記実施形態に限定されるものではなく、以下のように変更して具体化することもできる。
【００４０】
・突条１５を複数設けること。この場合、前記実施形態と同様な突条１５を平行に複数設けてもよく、または前記実施形態の突条１５より幅狭な突起を第３部分１３の幅方向に並べてもよい。
【００４１】
・凹部１９の位置を例えば第３部分１３の左右のいずれかの側端などに位置変更すること。
・凹部１９を省略すること。
【００４２】
・図７に示すように、傾斜部１４や傾斜部１８を円弧部３４，３８に変更すること。ここで、円弧形状も面取り形状とする。
・断熱パネル支持具１０全体を同じ厚さにすること。
【００４３】
・断熱パネル支持具１０の材質として、アルミニウム合金などの金属材料を用いること。
・前記実施形態では、断熱パネル支持具１０を断熱パネル５０の長辺の両端部に設けたが、長辺の中間部に設けたり、あるいは、短辺にも設けたりすること。
【００４４】
・前記実施形態では、断熱パネル支持具１０の第３部分１３を断熱パネル５０の溝５２に挿入して、断熱パネル支持具１０を断熱パネル５０に取り付けた。これに対して、溝５２が形成されていない断熱パネル５０の側部に対して断熱パネル支持具１０の第３部分１３を突き刺すことにより、断熱パネル支持具１０を断熱パネル５０に取り付けること。
【００４５】
（他の技術的思想）
前記実施形態及び変更例から把握される技術的思想は以下の通りである。
（Ａ）請求項８に記載の断熱パネル支持具を成形するための成形型であって、前記凹部の部分にゲートを配置した成形型。
【００４６】
（Ｂ）請求項４に記載の断熱パネル支持具を成形するための成形型の製造方法において、先鋭状の回転工具の先端部を成形型の成形面上を移動させて前記突起を成形するための成形凹部を削り出す成形型の成形方法。
【符号の説明】
【００４７】
１０…断熱パネル支持具、１１…第１部分、１２…第２部分、１３…第３部分、１４…傾斜部、１５…突起、１８…傾斜部、１９…凹部、５０…断熱パネル、５２…溝、６０…断熱パネルユニット。
【図１】
2018035541.tif 000003
【図２】
2018035541.tif 000004
【図３】
2018035541.tif 000005
【図４】
2018035541.tif 000006
【図５】
2018035541.tif 000007
【図６】
2018035541.tif 000008
【図７】
2018035541.tif 000009
【手続補正書】
【提出日】平成29年3月1日(2017.3.1)
【手続補正１】
【補正対象書類名】特許請求の範囲
【補正対象項目名】請求項９
【補正方法】変更
【補正の内容】
【請求項９】
請求項１〜８のうちのいずれか一項に記載の断熱パネル支持具と、断熱パネルとよりなる断熱パネルユニットにおいて、
前記断熱パネル支持具の第３部分を前記断熱パネルの側部に取り付けた断熱パネルユニット。
【手続補正２】
【補正対象書類名】明細書
【補正対象項目名】０００４
【補正方法】変更
【補正の内容】
【０００４】
特許文献２の断熱パネル支持具は、垂直板部の上端に、横架材に掛け止めされる爪部が形成されるとともに、垂直板部の下端には、断熱パネルの下面を受けるための水平板部が形成されている。
【手続補正３】
【補正対象書類名】明細書
【補正対象項目名】００１３
【補正方法】変更
【補正の内容】
【００１３】
また、本発明の断熱パネルユニットは、前記断熱パネル支持具と、断熱パネルとよりなる断熱パネルユニットにおいて、前記断熱パネル支持具の第３部分を前記断熱パネルの側部に取り付けたことを特徴とする。